(57)【要約】【課題】吸水性の高い下着を提供する。【解決手段】  ショーツ１は、吸水シート１００の周囲を防水シート１１０で囲んでおり、周囲に水分が拡散する前に吸水シート１００で吸収及び保水するよう構成されている。ショーツ１は、上記の構成により、綿トリコット、フライス、スムースなどの素材を用い、かつ、普段使いのショーツと同等の厚さで構成しても、水分の拡散を抑え、吸水シート１００の狭い範囲で吸水し保水できるため、ショーツ本体１２０への浸み出しや、外衣への汚れ移りを防止できる。また、生理用又は失禁用のナプキン等を用いる場合に比べて、装着感が普段使いのショーツに近く、精神的にも経済的にも負担が少ない。【選択図】図１
2013023791.tif 000002
【特許請求の範囲】
【請求項１】
吸水性を有する吸水シートと、
前記吸水シートの外周を囲んで設けられ、前記吸水シートよりも防水性の高い防水シートと、
前記吸水シート及び前記防水シートの裏面に設けられ、前記防水シートに縫い合わせられた裏面シートと
を有する下着。
【請求項２】
吸水性を有する股布と、
装着時において、股布から臀部方向に延伸した複数の保水シートと
を有し、
それぞれの前記保水シートは、前記股布と連続しており、かつ、他の隣り合う前記保水シートとは接続していない
吸水シート。
【請求項３】
前記股布の内部に設けられ、この股布に流入した液体を前記保水シートの方向に流すための整流手段
をさらに有する請求項２に記載の吸水シート。
【発明の詳細な説明】
【技術分野】
【０００１】
本発明は、下着及び吸水シートに関する。
【背景技術】
【０００２】
例えば、特許文献１には、不織繊維層が伸縮性繊維を含む編糸によってステッチ縫合されてなる伸縮性不織布４１から構成され、前身頃、後身頃及びこれら両者間に位置する股下部４を有するショーツ本体を具備し、前記股下部４の肌対向面側に、親水性繊維を含有するシート７１からなる吸収層７が設けられ、該吸収層７の非肌対向面側に液不透過性で且つ透湿性の防漏層８が設けられているサニタリーショーツが開示されている。
【先行技術文献】
【特許文献】
【０００３】
【特許文献１】特開２００５−１５４９２２号公報
【発明の概要】
【発明が解決しようとする課題】
【０００４】
本発明は、吸水性の高い下着又は吸水シートを提供する。
【課題を解決するための手段】
【０００５】
本発明に係る下着は、吸水性を有する吸水シートと、前記吸水シートの外周を囲んで設けられ、前記吸水シートよりも防水性の高い防水シートと、前記吸水シート及び前記防水シートの裏面に設けられ、前記防水シートに縫い合わせられた裏面シートとを有する。
【０００６】
本発明に係る吸水シートは、吸水性を有する股布と、装着時において、股布から臀部方向に延伸した複数の保水シートとを有し、それぞれの前記保水シートは、前記股布と連続しており、かつ、他の隣り合う前記保水シートとは接続していない。
【０００７】
好適には、前記股布の内部に設けられ、この股布に流入した液体を前記保水シートの方向に流すための整流手段をさらに有する。
【発明の効果】
【０００８】
本発明によれば、吸水性の高い下着又は吸水シートを提供できる。
【図面の簡単な説明】
【０００９】
【図１】ショーツのクロッチ周辺を例示する図である。
【図２】ショーツのクロッチの断面図である。
【図３】実施例２の吸水シート２０の内部を例示する図である。
【図４】吸水シート２０が縫合されたショーツ１の装着状態を体側から見た模式図である。
【図５】吸水シート２０が縫合されたショーツ１の装着状態を背面から見た模式図である。
【図６】単純矩形のクロッチ９０（比較例）が縫製されたショーツの装着状態を背面から見た模式図である。
【図７】吸水シート２０の変形例を説明する図である。
【図８】整流部材２４０の固定方法を説明する図である。
【発明を実施するための形態】
【実施例１】
【００１０】
図１は、ショーツのクロッチ周辺を例示する図である。
図２（Ａ）及び（Ｂ）は、ショーツのクロッチの断面図である。
図１に例示するように、ショーツ１のクロッチ１０は、ショーツ本体１２０に、防水シート１１０が縫い合わされ、この防水シート１１０に吸水シート１００が縫い合わされている。
ショーツ本体１２０は、本発明に係る裏面シートの一例であり、例えば、綿トリコット、フライス、又はスムースなどの普段使いのショーツで使用される素材で構成されている。
防水シート１１０は、ショーツ本体１２０及び吸水シート１００に比べて、高い撥水性を有する。例えば、防水シート１１０は、通常の生地にラミネート加工が施されたものである。また、防水シート１１０は、さらに撥水性を有してもよい。
吸水シート１００は、ショーツ本体１２０よりも吸水性の高い素材で構成されている。さらに、吸水シート１００は、保水性及び拡散性を有してもよい。
【００１１】
吸水シート１００は、図２（Ａ）に例示するように、防水シート１１０と、端部どうしを縫い合わせてもよいし、図２（Ｂ)に例示するように、防水シート１１０上に配置して縫い合わせてもよい。
また、ショーツ本体１２０は、吸水シート１００の縫合箇所よりも外側で、防水シート１１０と縫合される。
【００１２】
以上説明したように、本実施形態のショーツ１（下着の一例）は、吸水シート１００の周囲を防水シート１１０で囲んでおり、周囲に水分が拡散する前に吸水シート１００で吸収及び保水するよう構成されている。
従来のショーツの股布部は、身体の保護に加えて清潔が求められているにも関わらず、わずか１ｃｃ未満の体液をも瞬時に吸収することができず、肌面を清潔に保つことが困難となっている。これは、肌布の素材として、普段使いのショーツには、薄さ、柔らかさ、肌触りなどが優先され、綿トリコット、フライス、スムースが採用されているからである。すなわち、これらの素材による肌布は、水分を瞬時に吸収しにくく、吸収できた頃には水分が肌布表面に大きく広がったり、ショーツ本体へ浸み出したり、伝え漏れを起こし、外衣にも汚れが伝わる可能性があった。
そこで、本実施形態のショーツ１は、上記の構成とすることにより、綿トリコット、フライス、スムースなどの素材を用い、かつ、普段使いのショーツと同等の厚さで構成しても、水分の拡散を抑え、吸水シート１００の狭い範囲で吸水し保水できるため、ショーツ本体１２０への浸み出しや、外衣への汚れ移りを防止できる。また、生理用又は失禁用のナプキン等を用いる場合に比べて、装着感が普段使いのショーツに近く、精神的にも経済的にも負担が少ない。
【実施例２】
【００１３】
上記実施例１では、１〜３ｃｃ程度の水分を十分に吸水及び保水することを主な目的とするものであったが、実施例２では、より多くの水分を吸水するショーツを説明する。
図３は、実施例２の吸水シート２０を例示する。
図３に例示するように、吸水シート２０は、通常のクロッチと同程度のサイズからなる股布部２００と、股布部２００から延伸した複数の保水シート部２３２とを有する。本例の吸水シート２０では、股布部２００と複数の保水シート部２３２が一体で形成されている。吸水シート２０は、本発明に係る吸水シートの一例である。
股布部２００は、装着者の体の厚みなどを勘案して設計された通常の股布である。ここで、股布とは、ズボンの二重布、又は、パンティー（ショーツ）の股部にある生地を２重に縫製した部分であり、「クロッチ」又は「シック部」と呼ばれることもある。
【００１４】
保水シート部２３２は、装着時において、股布部２００から臀部方向に延伸した複数のシートであり、股布部２００と同等以上の吸水性及び保水性を有する。また、それぞれの保水シート部２３２は、股布部２００と連続的に形成されているが、隣り合う他の保水シート部２３２との間に切欠き２３０が設けられ、接続していない。
【００１５】
図４は、吸水シート２０が縫合されたショーツ１の装着状態を体側から見た模式図である。
図５は、吸水シート２０が縫合されたショーツ１の装着状態を背面から見た模式図である。
図６は、単純矩形のクロッチ９０（比較例）が縫製されたショーツの装着状態を背面から見た模式図である。
図４に例示するように、本例の吸水シート２０は、通常のクロッチより背中方向に長いため、装着者の臀部にまで達する。そのため、装着者の臀部近傍では、吸水シート２０が上方に曲がる。その際に、図５に例示するように、吸水シート２０のはみ出し部分（保水シート部２３２に相当する領域）は、それぞれ臀部の曲面に沿って曲がることができる。また、歩行等によって臀部が動いても、複数に分割された保水シート部２３２はその動きに追従できる。なお、吸水シート２０の外側には、吸水シート２０よりも一回り大きな防水シートが設けられており、この防水シートとショーツ本体とが縫合される。
一方、図６に例示するように、単純矩形のクロッチ９０（すなわち、股布をそのまま延伸させたもの）では、臀部の形状に沿って曲がることができず、装着時のシルエットを悪くしてしまう。
【００１６】
以上説明したように、本実施例のショーツ１では、股布部２００及び複数の保水シート部２３２からなる吸水シート２０が設けられているため、より大量の水分を吸収し保持することができる。
【００１７】
次に、上記実施例２の変形例を説明する。
図７は、吸水シート２０の変形例を説明する図である。
図７（Ａ）に例示するように、変形例の吸水シート２０は、股布部２００の内部に、整流部材２４０が設けられている。すなわち、本変形例の股布部２００では、図７（Ｂ)に例示するように、撥水性を帯びたメッシュ生地２０２、吸水シート２０４、拡散シート２０５、保水シート２０６、及び防水シート２１０が積層されており、吸水シート２０４と、拡散シート２０５との間に、整流部材２４０が挿入されている。
整流部材２４０は、注入された水分の横方向（体側方向）の拡散、及び、前面方向の拡散を抑制すると共に、背面方向（臀部の方向）への水分の拡散を促進する形状を有する。本例の整流部材２４０は、略Ｕ字形状を有し、前方及び横方向の水分の拡散を制限し、かつ、後方（すなわち、Ｕ字の開口方向）に水分の拡散を促す。このような整流手段は、実施例２のように、臀部方向に大きな保水領域を有する吸水シート２０において特に効果的である。すなわち、水分の拡散は通常放射状になされるが、吸水シート２０の横方向（体側方向）の長さは、前後方向（臀部方向）に比べて短いため、整流手段が無ければ、横漏れの可能性が高くなる。換言すると、臀部方向に設けられた大きな保水領域を活用するために、上記のような整流手段（整流部材２４０）が設けられている。
【００１８】
図８は、整流部材２４０の固定方法を説明する図である。
本例の整流部材２４０は、図８（Ａ）に例示するように、略Ｕ字形状にくり抜かれた厚さ１ｍｍ程度の生地であり、左右に広げた状態で拡散シート２０５に縫合される。なお、本図の整流部材２４０の前端部（すなわち、Ｕ字の下端部）は、ゆるやかな曲線状となっているが、実際には、弾性復元バランスなどの観点から、略直線状であることが望ましい。
図８（Ｂ）及び（Ｃ）は、整流部材２４０の断面図である。整流部材２４０は、そのままの状態では図８（Ｂ）に例示する状態となるが、これを左右に広げて両端部を縫合すると、図８（Ｃ)に例示するように、生地がねじれて端部が立ちあがってくる。これにより、吸水シート２０４と拡散シート２０５との間に、より大きな空間が形成され、水分の保水力が向上すると共に、ここに注入された水分は動きやすく、臀部方向への早い拡散が期待できる。
【符号の説明】
【００１９】
１０    クロッチ
１００  吸水シート
１１０  防水シート
１２０  ショーツ本体
２０    吸水シート
２００  股布部
２３２  保水シート部
２４０  整流部材
【図１】
2013023791.tif 000003
【図２】
2013023791.tif 000004
【図３】
2013023791.tif 000005
【図４】
2013023791.tif 000006
【図５】
2013023791.tif 000007
【図６】
2013023791.tif 000008
【図７】
2013023791.tif 000009
【図８】
2013023791.tif 000010